(57)【要約】【課題】  膝・腰用のリハビリテーション運動を短時間でより効果的に行うことのできるリハビリテーション運動用の補助用具を提供する。【解決手段】  仰向けに寝た状態もしくは座った状態で、足を上下に持ち上げるもしくは屈伸させる膝・腰用のリハビリテーション運動に用いられる補助用具であり、このものは履物に重り３が設けられて構成されている。また例えば前記履物は、足の甲部分を覆う甲覆部２が、右バンド２０と左バンド２１とで構成され、これら右バンド２０と左バンド２１とは面状ファスナ２０ａ，２０ｂで着脱自在とされていることなどを特徴とする。【選択図】図１
0003126078.tif 000002
【実用新案登録請求の範囲】
【請求項１】
仰向けに寝た状態もしくは座った状態で、足を上下に持ち上げるもしくは屈伸させる、膝・腰用のリハビリテーション運動に用いられる補助用具であり、このものは履物に重りが設けられて構成されていることを特徴とするリハビリテーション運動用の補助用具。
【請求項２】
前記履物は、足の甲部分を覆う甲覆部が、右バンドと左バンドとで構成され、これら右バンドと左バンドとは面状ファスナで着脱自在とされていることを特徴とする請求項１記載のリハビリテーション運動用の補助用具。
【請求項３】
前記履物の足載せ台は、足の前半のみを載置するものであることを特徴とする請求項１または２記載のリハビリテーション運動用の補助用具。
【請求項４】
前記履物の足載せ台に平状の鉛が設けられることを特徴とする請求項１、２または３記載のリハビリテーション運動用の補助用具。
【考案の詳細な説明】
【技術分野】
【０００１】
本考案は、膝痛もしくは腰痛の解消を目的になされるリハビリテーション運動用の補助用具に関するものであり、特にリハビリテーションの効果を促進させる構成に係るものである。
【背景技術】
【０００２】
従来より膝痛や腰痛を和らげ治癒させるための、膝痛や腰痛用のリハビリテーション運動がある。この運動は例えば仰向けで寝た状態で足を上下動したり、椅子に座った状態で足を上下屈伸運動させるものである。そしてこのようなリハビリテーション運動を行うことにより、足や腰回りの筋肉が発達し、膝痛や腰痛が和らぎ、やがて治癒されていくものである。
【０００３】
しかしながら、このリハビリテーション運動は、毎日のように継続して行う必要があり、面倒な点もあった。また運動量が少ないと筋肉があまり強化されないという問題点もあった。
そして膝痛を解消するためのリハビリテーション運動の補助用具の先行技術文献としては、例えば特許文献１がある。しかし、このものは椅子に座った状態では、膝の屈伸運動を行えないような老人を主に対象としたものであり、通常のリハビリテーションを行える者にとっての安価且つ手軽に使用できるリハビリテーション運動の補助用具というものはなかった。
また更に腰痛、膝関節症の治療に用いられる履物についての先行技術文献としては、例えば特許文献２がある。
【特許文献１】特開２００３−１０２８６９号
【特許文献２】特開平５−２７７００１号
【考案の開示】
【考案が解決しようとする課題】
【０００４】
本考案はこのような背景からなされたものであって、膝・腰用のリハビリテーション運動を短時間でより効果的に行うことのできるリハビリテーション運動用の補助用具を実現しようとするものである。
【課題を解決するための手段】
【０００５】
すなわち請求項１記載のリハビリテーション運動用の補助用具は、仰向けに寝た状態もしくは座った状態で、足を上下に持ち上げるもしくは屈伸させる、膝・腰用のリハビリテーション運動に用いられる補助用具であり、このものは履物に重りが設けられて構成されていることを特徴として成るものである。
【０００６】
更に請求項２記載のリハビリテーション運動用の補助用具は、前記請求項１記載の要件に加え、を特徴として成るものである。
【０００７】
また請求項３記載のリハビリテーション運動用の補助用具は、前記請求項１または２記載の要件に加え、前記履物の足載せ台は、足の前半のみを載置するものであることを特徴として成るものである。
【０００８】
また請求項４記載のリハビリテーション運動用の補助用具は、前記請求項１、２または３記載の要件に加え、前記履物の足載せ台に平状の鉛が設けられることを特徴として成るものである。
【考案の効果】
【０００９】
本考案のリハビリテーション運動用の補助用具は、上述した手段により以下のような効果を奏するものである。
すなわち請求項１記載のリハビリテーション運動用の補助用具によれば、日常生活では得られない負荷を足や腰まわりの筋肉に与えることにより、より短期間に効果的に足や腰まわりの筋肉を発達させることができる。そして足や腰まわりの筋肉が発達することにより膝痛や腰痛が改善されていく。
【００１０】
更に請求項２記載のリハビリテーション運動用の補助用具によれば、甲覆部が、右バンドと左バンドとで構成され、これら右バンドと左バンドとは面状ファスナで着脱自在とされているため、甲覆部の足に対する締め付け度を調節でき、より足にフィットするようになる。
【００１１】
また請求項３記載のリハビリテーション運動用の補助用具によれば、前記補助用具の足載せ台は、足の前半のみを載置するものであるため、より少量の重りで充分な荷重をかけることができる。また膝や腰が治った際には、日常の歩行用の健康サンダルとしても使用できる。
【００１２】
また請求項４記載のリハビリテーション運動用の補助用具によれば、履物の足載せ台に平状の鉛が設けられているため、履いた状態で歩く際にも邪魔にならず、地震時にもガラスの破片等の鋭利な物が足裏に突き刺さることが防がれる。
【考案を実施するための最良の形態】
【００１３】
本考案の最良の形態は、具体的には以下の実施例に述べる通りである。
【実施例１】
【００１４】
以下本考案を図示の実施の形態に基づき説明する。図１〜３中符号Ａで示すものが本考案に係るリハビリテーション運動用の補助用具であり、このものは一例として足載せ台１と、甲覆部２とから成るスリッパタイプの履物に対して、重り３が具備されて成る。なお使用対象者は、主として膝痛、腰痛などを有している者である。
【００１５】
以下上記部材について詳細に説明する。
まず前記足載せ台１について説明する。足載せ台１は、図２に示されるように一例として踵載せ部が欠落した足底部１０の上部に対し、上面シート１１が張設されて成る。そして本考案の特徴として足底部１０と上面シート１１との間には、平板状の重り３が設けられる。重り３としては具体的には女性であれば片足側で例えば５００ｇ、男性であれば１ｋｇの鉛が用いられる。なお重り３の取り付け位置は、甲覆部２に設けたり、足載せ台１の側部に設けるようにしても構わず、その形状も適宜の種々の形状のものを用いることができる。
【００１６】
前記甲覆部２について説明する。足の甲部分を覆う甲覆部２は、右バンド２０と左バンド２１とで構成され、これら右バンド２０と左バンド２１とは、先端に面状ファスナ２０ａ、２１ａが貼着されて着脱自在に構成されている。
【００１７】
本考案のリハビリテーション運動用の補助用具Ａの一例は以上のような具体的形態を有するものであって、以下この使用態様について説明する。
まずリハビリテーション運動用の補助用具Ａを装着するにあたっては、足載せ台１に足を載置し、例えば甲覆部２の左バンド２１の先端に対し、右バンド２０の先端をオーバーラップさせて面状ファスナ２０ａ、２１ａにより貼着する。なおこのように面状ファスナ２０ａ、２１ａにより貼着する方式を採るため、種々の足の大きさにフィットする。
【００１８】
以上のようにしてリハビリテーション運動用の補助用具Ａを装着した後、膝痛、腰痛用のリハビリテーション運動を行う。図３に示すものは、膝痛用のリハビリテーション運動を行っている状態を示すものである。具体的には、椅子Ｃに腰掛けながら、図３（ａ）（ｂ）に示されるように左右の足を交互に前方に上げる屈伸動作を繰り返す。左右１０回ずつの１セットの運動を、例えば休憩を挟んで２セット行うものである。なお運動量は、オーバーワークとならないように病状によって適宜調整されるものである。
因みに運動は後述する実施例２の仰向けで寝た状態でのリハビリテーション運動や、その他の公知の足のリハビリテーション運動を行うようにしてもよい。
【実施例２】
【００１９】
図４〜６に示すものは、サンダルタイプのリハビリテーション運動用の補助用具Ａ′である。このものは、具体的に足載せ台１と、甲覆部２と、踵留めベルト４とから成るサンダルタイプの履物に対して、重り３が具備されて成る。
【００２０】
以下、各部材について詳細に説明する。図５に示されるように、前記足載せ台１は、前記実施例１と同様に足底部１０の上部に対し、上面シート１１が張設されて成るが、前記足底部１０は、底本体１０Ａと、その下部に取り付けられる接地底１０Ｂとから成る。そして前記重り３は、一例として前記底本体１０Ａと接地底１０Ｂとの間に設けられる。重り３としては、前記実施例で説明したように平板状の鉛を用いるものである。また重り３の取り付け位置は、甲覆部２に設けたり、足載せ台１の側部に設けるようにしても構わず、その形状も適宜の種々の形状のものを用いることができる。
【００２１】
前記甲覆部２については、前記実施例１の着脱式の甲覆部２と異なり、切り離しされない単なる環状の足載せ台１を用いている。
【００２２】
また前記踵留めベルト４は、前記甲覆部２と一体的に形成されたものであり、外側にバックル４ｂが先端に設けられた踵留めベルト４を有し、内側に調節孔４ａが複数穿孔された踵留めベルト４が設けられている。
【００２３】
サンダルタイプのリハビリテーション運動用の補助用具Ａ′の一例は以上のような具体的形態を有するものであって、以下この使用態様について説明する。
まずリハビリテーション運動用の補助用具Ａ′を装着するにあたっては、通常のサンダルと同様に甲覆部２に、足の爪先を挿入して足載せ台１に足を載置し、踵留めベルト４をバックル４ｂで締結する。
【００２４】
以上のようにしてリハビリテーション運動用の補助用具Ａ′を装着した後、膝痛、腰痛用のリハビリテーション運動を行う。図６に示すものは、膝痛用のリハビリテーション運動を行っている状態を示すものである。
具体的には、仰向けに寝ながら、図６（ａ）（ｂ）に示されるように左右の足を交互に前方に上げる動作を繰り返す。左右１０回ずつの運動を例えば休憩を挟んで２セット行うものである。なお運動量は、オーバーワークとならないように病状によって適宜調整されるものである。
因みに運動は前記実施例１の椅子Ｃに座った状態でのリハビリテーション運動や、その他の公知の足のリハビリテーション運動を行うようにしてもよい。
【図面の簡単な説明】
【００２５】
【図１】本考案の実施例１に係るリハビリテーション運動用の補助用具の使用状態を示す側面図（ａ）と、補助用具の拡大側面図（ｂ）である。
【図２】同上、リハビリテーション運動用の補助用具の分解斜視図である。
【図３】同上、リハビリテーション運動用の補助用具の使用態様（ａ）（ｂ）を示す側面図である。
【図４】本考案の実施例２に係るリハビリテーション運動用の補助用具の使用状態を示す側面図（ａ）と、補助用具の拡大側面図（ｂ）である。
【図５】同上、リハビリテーション運動用の補助用具の分解斜視図である。
【図６】同上、リハビリテーション運動用の補助用具の使用態様（ａ）（ｂ）を示す側面図である。
【符号の説明】
【００２６】
Ａ        リハビリテーション運動用の補助用具
Ａ′      リハビリテーション運動用の補助用具
１        足載せ台
２        甲覆部
３        重り
４        踵留めベルト
４ａ      調節孔
４ｂ      バックル
１０      足底部
１０Ａ    底本体
１０Ｂ    接地底
１１      上面シート
２０      右バンド
２０ａ    面状ファスナ
２１      左バンド
２１ａ    面状ファスナ
Ｃ        椅子
【図１】
0003126078.tif 000003
【図２】
0003126078.tif 000004
【図３】
0003126078.tif 000005
【図４】
0003126078.tif 000006
【図５】
0003126078.tif 000007
【図６】
0003126078.tif 000008